(57)【要約】      （修正有）【課題】会議に参加している人の情報端末のみ接続可能とするネットワークシステム及び方法を提供する。【解決手段】顔情報に情報端末を特定する端末特定情報を関連付けて記憶する情報テーブル５４１と、ネットワークの認証サーバと、カメラ１５と、ネットワークのアクセスポイントを備える。アクセスポイントの制御部１００は、情報端末からネットワークへの接続要求があった場合、カメラ１５で撮像された顔画像に基づいて得られた顔情報に対応する端末特定情報を情報テーブル５４１から取得する端末情報取得手段１０４と、接続要求を行った情報端末から取得した端末特定情報とが一致するか否かを判断する第１判断手段１０５と、一致すると判断した場合に、接続要求があった情報端末のネットワークへの接続を許可する第１接続許可手段１０６を備える。【選択図】図６
2020088763.tif 000002
【特許請求の範囲】
【請求項１】
顔情報に情報端末を特定する端末特定情報を関連付けて記憶する情報テーブルと、
ネットワークの認証サーバと、
カメラと、
前記ネットワークを利用するためのアクセスポイントと、
を備えたネットワークシステムであって、
前記アクセスポイントは、
前記情報端末から前記ネットワークへの接続要求があった場合、前記カメラで撮像された顔画像に基づいて得られた顔情報に対応する前記端末特定情報を前記情報テーブルから取得する端末情報取得手段と、
前記端末情報取得手段が取得した前記端末特定情報と前記接続要求を行った際に前記接続要求を行った情報端末から取得した当情報端末を特定する端末特定情報とが一致するか否かを判断する第１判断手段と、
前記端末情報取得手段が取得した前記端末特定情報と前記接続要求を行った情報端末を特定する端末特定情報とが一致すると前記第１判断手段が判断した場合に、前記接続要求があった前記情報端末の前記ネットワークへの接続を許可する第１接続許可手段と、
を備え、
前記認証サーバは、
前記第１接続許可手段が接続を許可した前記情報端末の認証処理を行う認証手段を有する、
ネットワークシステム。
【請求項２】
顔情報に情報端末を特定する端末特定情報を関連付けて記憶する情報テーブルと、
ネットワークの認証サーバと、
カメラと、
前記ネットワークを利用するためのアクセスポイントと、
を備えたネットワークシステムであって、
前記アクセスポイントは、
前記情報端末から前記ネットワークへの接続要求があった場合、前記接続要求を行った際に前記接続要求を行った情報端末から取得した当該情報端末を特定する端末特定情報に対応する前記顔情報を前記情報テーブルから取得する顔情報取得手段と、
前記顔情報取得手段が取得した前記顔情報と前記カメラで撮像された顔画像に基づいて得られた顔情報とが一致するか否かを判断する第２判断手段と、
前記顔情報取得手段が取得した前記顔情報と前記カメラで撮像された顔画像に基づいて得られた顔情報とが一致すると前記第２判断手段が判断した場合に、前記接続要求があった前記情報端末の前記ネットワークへの接続を許可する第２接続許可手段と、
を備え、
前記認証サーバは、
前記第２接続許可手段が接続を許可した前記情報端末の認証処理を行う認証手段を有する、
ネットワークシステム。
【請求項３】
前記カメラと前記アクセスポイントは、電子黒板に備えられている、
請求項１または２に記載のネットワークシステム。
【請求項４】
前記カメラと前記アクセスポイントは、ビデオ会議装置に備えられている、
請求項１または２に記載のネットワークシステム。
【請求項５】
顔情報に情報端末を特定する端末特定情報を関連付けて記憶する情報テーブルと、ネットワークの認証サーバと、カメラと、前記ネットワークを利用するためのアクセスポイントとを備えたネットワークシステムにおけるネットワークの認証方法であって、
前記アクセスポイントは、
前記情報端末から前記ネットワークへの接続要求があった場合、前記カメラで撮像された顔画像に基づいて得られた顔情報に対応する前記端末特定情報を前記情報テーブルから取得する第１工程と、
前記第１工程が取得した前記端末特定情報と前記接続要求を行った際に前記接続要求を行った情報端末から取得した当該情報端末を特定する端末特定情報とが一致するか否かを判断する第２工程と、
前記第１工程が取得した前記端末特定情報と前記接続要求を行った情報端末を特定する端末特定情報とが一致すると前記第２工程が判断した場合に、前記接続要求があった前記情報端末を前記ネットワークへの接続を許可する第３工程と、
を含み、
前記認証サーバは、
前記第３工程が接続を許可した前記情報端末の認証処理を行う第４工程、
を含むネットワークの認証方法。
【請求項６】
顔情報に情報端末を特定する端末特定情報を関連付けて記憶する情報テーブルと、ネットワークの認証サーバと、カメラと、前記ネットワークを利用するためのアクセスポイントとを備えたネットワークシステムにおけるネットワークの認証方法であって、
前記アクセスポイントは、
前記情報端末から前記ネットワークへの接続要求があった場合、前記接続要求を行った際に前記接続要求を行った情報端末から取得した当該情報端末を特定する端末特定情報に対応する前記顔情報を前記情報テーブルから取得する第５工程と、
前記第５工程が取得した前記顔情報と前記カメラで撮像された顔画像に基づいて得られた顔情報とが一致するか否かを判断する第６工程と、
前記第５工程が取得した前記顔情報と前記カメラで撮像された顔画像に基づいて得られた顔情報とが一致すると前記第６工程が判断した場合に、前記接続要求があった前記情報端末を前記ネットワークへの接続を許可する第７工程と、
を含み、
前記認証サーバは、
前記第７工程が接続を許可した前記情報端末の認証処理を行う第８工程、
を含むネットワークの認証方法。
【請求項７】
顔情報に情報端末を特定する端末特定情報を関連付けて記憶する情報テーブルと、
ネットワークの認証サーバと、
カメラと、
前記ネットワークを利用するためのアクセスポイントと、
を備えたネットワークシステムにおける前記アクセスポイントであって、
前記情報端末から前記ネットワークへの接続要求があった場合、前記カメラで撮像された顔画像に基づいて得られた顔情報に対応する前記端末特定情報を前記情報テーブルから取得する端末情報取得手段と、
前記端末情報取得手段が取得した前記端末特定情報と前記接続要求を行った際に前記接続要求を行った情報端末から取得した当該端末特定情報を特定する端末特定情報とが一致するか否かを判断する第１判断手段と、
前記端末情報取得手段が取得した前記端末特定情報と前記接続要求を行った情報端末を特定する端末特定情報とが一致すると前記第１判断手段が判断した場合に、前記接続要求があった前記情報端末を前記ネットワークへの接続を許可する第１接続許可手段と、
を備えたアクセスポイント。
【請求項８】
顔情報に情報端末を特定する端末特定情報を関連付けて記憶する情報テーブルと、
ネットワークの認証サーバと、
カメラと、
前記ネットワークを利用するためのアクセスポイントと、
を備えたネットワークシステムにおける前記アクセスポイントであって、
前記情報端末から前記ネットワークへの接続要求があった場合、前記接続要求を行った際に前記接続要求を行った情報端末から取得した当該端末特定情報を特定する端末特定情報に対応する前記顔情報を前記情報テーブルから取得する顔情報取得手段と、
前記顔情報取得手段が取得した前記顔情報と前記カメラで撮像された顔画像に基づいて得られた顔情報とが一致するか否かを判断する第２判断手段と、
前記顔情報取得手段が取得した前記顔情報と前記カメラで撮像された顔情報とが一致すると前記第２判断手段が判断した場合に、前記接続要求があった前記情報端末を前記ネットワークへの接続を許可する第２接続許可手段と、
を備えたアクセスポイント。
【請求項９】
顔情報に情報端末を特定する端末特定情報を関連付けて記憶する情報テーブルと、ネットワークの認証サーバと、カメラと、前記ネットワークを利用するためのアクセスポイントとを備えたネットワークシステムにおけるネットワークの認証方法であって、
前記情報端末から前記ネットワークへの接続要求があった場合、前記カメラで撮像された顔画像に基づいて得られた顔情報に対応する前記端末特定情報を前記情報テーブルから取得する第１工程と、
前記第１工程が取得した前記端末特定情報と前記接続要求を行った際に前記接続要求を行った情報端末から取得した当該情報端末を特定する端末特定情報とが一致するか否かを判断する第２工程と、
前記第１工程が取得した前記端末特定情報と前記接続要求を行った情報端末を特定する端末特定情報とが一致すると前記第２工程が判断した場合に、前記接続要求があった前記情報端末を前記ネットワークへの接続を認証する第３工程と、
を含むネットワークの認証方法。
【発明の詳細な説明】
【技術分野】
【０００１】
本発明は、ネットワークシステム、ネットワークの認証方法およびアクセスポイントに関する。
【背景技術】
【０００２】
従来、ＰＣ（Personal  Computer）やモバイルデバイス等の情報端末をネットワークに接続して会議を行う、例えば電子黒板やビデオ会議装置等の会議装置を含むシステムが知られている。これらのシステムは、無線ＬＡＮ（Local  Area  Network）を搭載し、アクセスポイントに情報端末を接続すると、ネットワークが利用可能となり、会議に参加可能となる。
【０００３】
ところで、アクセスポイントに接続する場合のセキュリティを確保するために、例えば特開２０１６−０１００７２号公報に記載されているように、認証サーバによって予め登録された当該情報端末を利用する利用者の利用者識別情報（ユーザＩＤ（Identification）やパスワード）が認証された情報端末のみがネットワークを利用可能となる。
【発明の概要】
【発明が解決しようとする課題】
【０００４】
しかしながら、このような先行技術では、予め利用者識別情報が登録されている人であれば、会議への参加者以外の人の情報端末であってもアクセスポイントに接続可能であった。
【０００５】
本発明は、上記に鑑みてなされたものであって、会議に参加している人の情報端末のみアクセスポイントに接続可能とすることを目的とする。
【課題を解決するための手段】
【０００６】
上述した課題を解決し、目的を達成するため、本発明は、顔情報に情報端末を特定する端末特定情報を関連付けて記憶する情報テーブルと、ネットワークの認証サーバと、カメラと、前記ネットワークを利用するためのアクセスポイントと、を備えたネットワークシステムであって、前記アクセスポイントは、前記情報端末から前記ネットワークへの接続要求があった場合、前記カメラで撮像された顔画像に基づいて得られた顔情報に対応する前記端末特定情報を前記情報テーブルから取得する端末情報取得手段と、前記端末情報取得手段が取得した前記端末特定情報と前記接続要求を行った際に前記接続要求を行った情報端末から取得した当情報端末を特定する端末特定情報とが一致するか否かを判断する第１判断手段と、前記端末情報取得手段が取得した前記端末特定情報と前記接続要求を行った情報端末を特定する端末特定情報とが一致すると前記第１判断手段が判断した場合に、前記接続要求があった前記情報端末の前記ネットワークへの接続を許可する第１接続許可手段と、を備え、前記認証サーバは、前記第１接続許可手段が接続を許可した前記情報端末の認証処理を行う認証手段を備えることを特徴とする。
【発明の効果】
【０００７】
本発明によれば、会議に参加している人の情報端末のみアクセスポイントに接続することができるという効果を奏する。
【図面の簡単な説明】
【０００８】
【図１】図１は、本発明の実施の形態に係る電子黒板と認証サーバの一例を示すシステム図である。
【図２】図２は、電子黒板に備えられたカメラで会議への参加者を撮像する状態を示す模式図である。
【図３】図３は、電子黒板のハードウェア構成を示すブロック図である。
【図４】図４は、認証サーバのハードウェア構成を示すブロック図である。
【図５】図５は、認証サーバにおける情報テーブルのメモリ構成を示す図である。
【図６】図６は、第１の実施形態に係る電子黒板と認証サーバの機能構成を示す機能ブロック図である。
【図７】図７は、電子黒板の制御処理の流れを示すフローチャートである。
【図８】図８は、認証サーバの制御処理の流れを示すフローチャートである。
【図９】図９は、ＰＣが電子黒板に接続され、認証を受けるまでのシーケンスを示す図である。
【図１０】図１０は、第２の実施形態に係る電子黒板と認証サーバの機能構成を示す機能ブロック図である。
【図１１】図１１は、電子黒板の制御処理の流れを示すフローチャートである。
【図１２】図１２は、認証サーバの制御処理の流れを示すフローチャートである。
【図１３】図１３は、第３の実施形態に係る電子黒板の制御処理の流れを示すフローチャートである。
【図１４】図１４は、第４の実施形態に係る電子黒板の制御処理の流れを示すフローチャートである。
【図１５】図１５は、認証サーバの制御処理の流れを示すフローチャートである。
【発明を実施するための形態】
【０００９】
以下、添付図面を参照しながら、本発明に係るネットワークシステム、ネットワークの認証方法およびアクセスポイント実施の形態を詳細に説明する。なお、以下の実施の形態では、アクセスポイントを電子黒板に含まれる一機能として説明する。また、実施形態では、情報端末の一例としてＰＣ（Personal  Computer）を用いて説明する。なお、以下の実施形態によって本発明が限定されるものではなく、以下の実施形態における構成要素には、当業者が容易に想到できるもの、実質的に同一のもの、およびいわゆる均等の範囲のものが含まれる。さらに、以下の実施形態の要旨を逸脱しない範囲で構成要素の種々の省略、置換、変更および組み合わせを行うことができる。
【００１０】
まず、ネットワークシステムについて説明する。図１は、本発明の実施の形態に係るネットワークシステムの一例を示すシステム図である。図１に示すように、ネットワークシステム１０は、電子黒板１と認証サーバ５を備える。電子黒板１と認証サーバ５は、ＬＡＮ（Local  Area  Network）等の通信回線Ｌ１で相互に通信可能に接続している。また、複数台ＰＣ３は、例えば無線ＬＡＮ等のアクセスポイントに接続することで、電子黒板１と相互に通信可能となる。実施形態ではＰＣ３１、ＰＣ３２、ＰＣ３３の３台のＰＣ３がアクセスポイントに接続されたとして以降説明する。
【００１１】
電子黒板１は、例えば１会議室に１台設置される。電子黒板１は、タッチパネルを有するディスプレイを備え、種々の情報を表示するとともに表示部に文字や図形等を書き込むことができる。会議に参加する参加者は、電子黒板１への書き込みを行いながら会議を進める。また、電子黒板１は、アクセスポイントに接続したＰＣ３に対して、情報を送信する。ＰＣ３は、受信した情報を各ＰＣ３の表示部に表示する。また、電子黒板１は、ＰＣ３から受信した情報を表示する。
【００１２】
また、電子黒板１は、中央部上方に、カメラ１５を備える。カメラ１５は、電子黒板１を使用して会議に参加する参加者の顔画像を撮像する。カメラ１５は、電子黒板１の表示部１４側に向けて設置され、電子黒板１の表示部１４側に位置する参加者Ｐの顔画像を撮像する。図２は、電子黒板１に備えられたカメラ１５で会議への参加者を撮像する状態を示す模式図である。図２では、カメラ１５は、ＰＣ３１を持つ参加者Ｐ１、ＰＣ３２を持つ参加者Ｐ２、ＰＣ３３を持つ参加者Ｐ３の３名の顔画像が撮像可能である。会議への参加者Ｐ１、Ｐ２、Ｐ３は、ペン等を用いてタッチパネル１４ａをタッチして電子黒板１の表示部１４上に文字や図形を描いて会議を行う。
【００１３】
また、電子黒板１は、参加者Ｐ１、Ｐ２、Ｐ３がそれぞれ持つＰＣ３１、ＰＣ３２、ＰＣ３３に表示された情報を、表示部１４上に表示する。また、電子黒板１は、ＰＣ３１、ＰＣ３２、ＰＣ３３に表示された情報を、表示部１４上に分割してそれぞれ表示することもできる。
【００１４】
次に、電子黒板１のハードウェアについて説明する。図３は、電子黒板１のハードウェア構成を示すブロック図である。図３に示すように、電子黒板１は、ＣＰＵ（Central  Processing  Unit）１１、ＲＯＭ（Read  Only  Memory）１２、ＲＡＭ（Random  Access  Memory）１３、記憶装置１６等を備えている。ＣＰＵ１１は制御主体となる。ＲＯＭ１２は各種プログラムを記憶する。ＲＡＭ１３はプログラムや各種データを展開する。記憶装置１６は各種プログラムを記憶する。ＣＰＵ１１、ＲＯＭ１２、ＲＡＭ１３、記憶装置１６は、互いにバス（図示せず）を介して接続されている。ＣＰＵ１１とＲＯＭ１２とＲＡＭ１３が、制御部１００を構成する。すなわち、制御部１００は、ＣＰＵ１１がＲＯＭ１２や記憶装置１６に記憶されＲＡＭ１３に展開された制御プログラムに従って動作することによって、後述する電子黒板１に係る制御処理を実行する。
【００１５】
ＲＡＭ１３は、ＤＤＲ（Double  Data  Rate）メモリのような揮発性メモリであり、制御部１００が実行する制御プログラムを展開し、また演算データの一時保管を行う。
【００１６】
記憶装置１６は、電源を切っても記憶情報が保持されるＨＤＤ（Hard  Disc  Drive）やフラッシュメモリ等の不揮発性メモリで構成される。記憶装置１６は、電子黒板１を制御するための制御プログラムを記憶する。
【００１７】
また、制御部１００は、表示部１４およびカメラ１５と電気的に接続する。表示部１４は、上部に透明なタッチパネル１４ａを備える。会議への参加者は、特殊なペンを使用してタッチパネル１４ａ上に文字や図形等を描くことで、表示部１４上に文字や図形等を表示させることができる。
【００１８】
カメラ１５は、電子黒板１の表示部１４側を撮像できるように位置している、会議の参加者の顔を撮像し、顔画像を取得する。カメラ１５は、電子黒板１の表示部１４側とは反対側（すなわち裏側）に位置している人（会議への参加者ではない人）の顔は撮像できない。
【００１９】
また、制御部１００は、無線ＬＡＮ通信部１８と接続する。無線ＬＡＮ通信部１８は、ネットワークＬ２を介してＰＣ３と接続する。制御部１００は、無線ＬＡＮ通信部１８を介して、アクセスポイントに接続したＰＣ３と通信を行い、ＰＣ３との間で情報の送受信が可能である。また、制御部１００は、ＬＡＮ通信部１７と接続する。ＬＡＮ通信部１７は、通信回線Ｌ１を介して認証サーバ５と接続される。制御部１００は、ＬＡＮ通信部１７を介して認証サーバ５と通信を行い、認証サーバ５との間で情報の送受信が可能である。
【００２０】
ここからは、認証サーバ５について説明する。図４は、認証サーバ５のハードウェア構成を示すブロック図である。図４に示すように、認証サーバ５は、ＣＰＵ５１、ＲＯＭ５２、ＲＡＭ５３、記憶装置５４等を備えている。ＣＰＵ５１は制御主体となる。ＲＯＭ５２は各種プログラムを記憶する。ＲＡＭ５３はプログラムや各種データを展開する。記憶装置５４は各種プログラムを記憶する。ＣＰＵ５１、ＲＯＭ５２、ＲＡＭ５３、記憶装置５４は、互いにバス（図示せず）を介して接続されている。ＣＰＵ５１とＲＯＭ５２とＲＡＭ５３が、制御部５００を構成する。すなわち、制御部５００は、ＣＰＵ５１がＲＯＭ５２や記憶装置５４に記憶されＲＡＭ５３に展開された制御プログラムに従って動作することによって、後述する認証サーバ５に係る制御処理を実行する。
【００２１】
記憶装置５４は、電源を切っても記憶情報が保持されるＨＤＤ（Hard  Disc  Drive）やフラッシュメモリ等の不揮発性メモリで構成される。記憶装置５４は、電子黒板１を制御するための制御プログラムを記憶する。また、記憶装置５４は、情報テーブル５４１を備える。情報テーブル５４１については、図５で後述する。
【００２２】
また、制御部５００は、ＬＡＮ通信部５５と接続する。ＬＡＮ通信部５５は、通信回線Ｌ１を介して電子黒板１と接続される。制御部５００は、ＬＡＮ通信部５５を介して電子黒板１と通信を行い、電子黒板１との間で情報の送受信が可能である。
【００２３】
次に、情報テーブル５４１について説明する。図５は、認証サーバ５における情報テーブル５４１のメモリ構成を示す図である。図５に示すように、情報テーブル５４１は、顔情報部５４１１、デバイス情報部５４１２、ユーザＩＤ部５４１３、パスワード部５４１４を有する。
【００２４】
顔情報部５４１１は、人の顔を特徴づける顔情報を記憶する。顔情報は、例えば人の顔の顔情報（目、鼻、口、耳、顎等）を含む情報である。顔情報によって一人の人を特定することができる。例えば、カメラ１５が撮像した顔画像に基づいて抽出した顔画像に基づいて顔情報を抽出し、当該顔情報が顔情報部５４１１に記憶されている顔情報の顔情報と一致すれば、カメラ１５で撮像された人は、顔情報部５４１１に記憶されている一致した顔情報の人であるとすることができる。デバイス情報部５４１２は、顔情報部５４１１に記憶された顔情報に対応付けて、ＰＣ３を特定するデバイス情報（端末特定情報）を記憶する。デバイス情報は、例えばＰＣ３のＭＡＣ（Media  Access  Control）アドレスや、当該ＰＣ３にインストールした当該ＰＣ３を一意に特定する証明書情報である。実施形態では、ＭＡＣアドレスをデバイス情報の一例として説明する。ＭＡＣアドレスは、ＰＣ３に与えられている固有のアドレスであり、当該ＰＣを一意に特定する。ユーザＩＤ部５４１３は、顔情報部５４１１に記憶された顔の顔情報とデバイス情報部５４１２に記憶されたデバイス情報に対応付けて、当該ＰＣ３を特定するユーザのＩＤ（Identification）を記憶する。パスワード部５４１４は、ユーザＩＤ部５４１３に記憶されたユーザＩＤに対応付けて設定されたパスワードを記憶する。なお、情報テーブル５４１は、ＰＣ３を保有する会社内の全ての人について、顔情報、デバイス情報、ユーザＩＤ、パスワードを記憶している。情報テーブル５４１は、社外の人の顔情報、デバイス情報、ユーザＩＤ、パスワードは記憶していない。なお、顔情報部５４１１は、顔情報を含む顔画像を記憶するようにしてもよい。
【００２５】
なお、図１〜図５の構成は、以降説明する第１の実施形態〜第４の実施形態に共通の構成である。
【００２６】
（第１の実施形態）
ここからは、第１の実施形態に係る電子黒板１と認証サーバ５の機能構成について説明する。図６は、第１の実施形態に係る電子黒板１と認証サーバ５の機能構成を示す機能ブロック図である。まず、電子黒板１の機能構成について説明する。図６に示すように、電子黒板１の制御部１００は、ＲＯＭ２または記憶装置１６に記憶され、ＲＡＭ１３に展開された制御プログラムに従うことで、顔画像入力部１０１、端末特定情報入力部１０２、問い合わせ部１０３、端末情報取得部１０４（端末情報取得手段、第１工程）、第１判断部１０５（第１判断手段、第２工程）、第１接続許可部１０６（第１接続許可手段、第３工程）、ＩＤ受付部１０７、ＩＤ送信部１０８として機能する。
【００２７】
顔画像入力部１０１は、カメラ１５から、カメラ１５が撮像した顔画像を入力する。端末特定情報入力部１０２は、アクセスポイントへの接続要求があったＰＣ３から、当該ＰＣ３が送信した当該ＰＣ３を特定するデバイス情報を入力する。
【００２８】
問い合わせ部１０３は、端末特定情報入力部１０２からアクセスポイントへの接続要求があった場合、顔画像入力部１０１が入力した顔画像を認証サーバ５に送信して、当該顔画像に基づいて得られた顔情報と対応付けられた会議の参加者が所有するＰＣ３を特定するデバイス情報を認証サーバ５に問い合わせる。
【００２９】
端末情報取得部１０４は、問い合わせ部１０３の問い合わせに対して、認証サーバ５から、顔情報に対応付けられたＰＣ３を特定するデバイス情報を受信して取得する。
【００３０】
第１判断部１０５は、端末特定情報入力部１０２が入力したデバイス情報と端末情報取得部１０４が認証サーバ５から受信したデバイス情報とを比較して、一致しているか否かを判断する。
【００３１】
第１接続許可部１０６は、第１判断部１０５が、端末特定情報入力部１０２が入力したデバイス情報と端末情報取得部１０４が認証サーバ５から受信したデバイス情報とが一致したと判断した場合に、接続要求があったＰＣ３のアクセスポイントへの接続を許可する。アクセスポイントへの接続が許可されたＰＣ３は、電子黒板１と情報の送受信が可能となり、当該電子黒板１を保有する人は、認証サーバ５の認証を受ければ電子黒板１を使用した会議への参加者となることができる。
【００３２】
ＩＤ受付部１０７は、第１判断部１０５が、端末特定情報入力部１０２が入力したデバイス情報と端末情報取得部１０４が認証サーバ５から受信したデバイス情報とが一致していると判断した場合に、当該ＰＣ３のユーザＩＤとパスワードの入力を受け付ける。
【００３３】
ＩＤ送信部１０８は、ＩＤ受付部１０７が受け付けたユーザＩＤとパスワードを認証サーバ５に送信する。
【００３４】
なお、電子黒板１の制御部１００は、アクセスポイントとしての端末情報取得部１０４（端末情報取得手段）、第１判断部１０５（第１判断手段）、第１接続許可部１０６（第１接続許可手段）としても機能する。
【００３５】
次に、認証サーバ５の機能構成について説明する。認証サーバ５の制御部５００は、記憶装置５４に記憶され、ＲＡＭ５３に展開された制御プログラムに従うことで、端末特定情報抽出部５０１、端末特定情報送信部５０２、認証部５０３（認証手段、第４工程）として機能する。
【００３６】
端末特定情報抽出部５０１は、電子黒板１からデバイス情報の問い合わせがあった場合に、受信した顔画像に基づいて顔情報を取得し、当該顔情報に対応付けられたデバイス情報を抽出する。具体的には、端末特定情報抽出部５０１は、受信した顔画像に基づいて、顔認証を実施する。すなわち、端末特定情報抽出部５０１は、顔画像に含まれる顔情報（目、鼻、口、耳、顎等の情報）を抽出し、顔情報部５４１１に記憶されている顔情報と比較する。そして端末特定情報抽出部５０１は、顔情報部５４１１に記憶されている顔情報から、受信した顔画像に含まれる顔情報と一致する顔情報を特定する。そして制御部５００は、特定した顔情報に対応付けられたデバイス情報をデバイス情報部５４１２から抽出する。
【００３７】
端末特定情報送信部５０２は、端末特定情報抽出部５０１が抽出したデバイス情報を電子黒板１に送信する。
【００３８】
認証部５０３は、電子黒板１からＰＣ３についての認証要求を受信した場合に、受信した当該ＰＣ３に係るユーザＩＤとユーザＩＤ部５４１３に記憶されているユーザＩＤとを比較する。また、認証部５０３は、受信した当該ＰＣ３に係るパスワードとパスワード部５４１４に記憶されているパスワードとを比較する。そして認証部５０３は、ユーザＩＤとパスワードがいずれも一致した場合に、当該ＰＣ３について認証処理を実行する。
【００３９】
ここからは、電子黒板１の制御処理について説明する。図７は、電子黒板１の制御処理の流れを示すフローチャートである。電子黒板１の顔画像入力部１０１は、カメラ１５が撮像した顔画像が入力されたかを判断する（Ｓ１１）。カメラ１５が撮像した顔画像が入力されたと判断した場合には（Ｓ１１のＹｅｓ）、制御部１００は、入力した顔画像をＲＡＭ１３に記憶する（Ｓ１２）。そして制御部１００は、処理を終了する。
【００４０】
また、カメラ１５が撮像した顔画像の入力ではないと判断した場合には（Ｓ１１のＮｏ）、制御部１００は、ＰＣ３からアクセスポイントへの接続要求があったかを判断する（Ｓ２１）。ＰＣ３からアクセスポイントへの接続要求があったと判断した場合には（Ｓ２１のＹｅｓ）、端末特定情報入力部１０２は、アクセスポイントへの接続要求があったＰＣ３から、当該ＰＣ３を特定するデバイス情報を入力してＲＡＭ１３に記憶する（Ｓ２２）。
【００４１】
次に、問い合わせ部１０３は、顔画像入力部１０１が入力してＲＡＭ１３に記憶した顔画像を認証サーバ５に送信して、当該顔画像に基づく顔情報と対応付けられた会議の参加者が所有するＰＣ３を特定するデバイス情報を認証サーバ５に問い合わせる（Ｓ２３）。そして制御部１００は、認証サーバ５から問い合わせに対する応答があったかを判断する（Ｓ２４）。応答があるまで待機し（Ｓ２４のＮｏ）、応答があったと判断した場合には（Ｓ２４のＹｅｓ）、端末情報取得部１０４は、認証サーバ５から、送信した顔画像に基づく顔情報に対応付けられたＰＣ３を特定するデバイス情報を受信してＲＡＭ１３に記憶する（デバイス情報を取得する）（Ｓ２５）。
【００４２】
次に第１判断部１０５は、Ｓ２２で入力されたデバイス情報と、Ｓ２５で取得したデバイス情報を比較する（Ｓ２６）。そして第１判断部１０５は、Ｓ２２で入力されたデバイス情報とＳ２５で取得したデバイス情報が一致しているかを判断する（Ｓ２７）。第１判断部１０５が、Ｓ２２で入力されたデバイス情報とＳ２５で取得したデバイス情報が一致していると判断した場合には（Ｓ２７のＹｅｓ）、第１接続許可部１０６は、接続要求があったＰＣ３のアクセスポイントへの接続を許可する（Ｓ２８）。
【００４３】
次に制御部１００は、接続要求があったＰＣ３から認証要求があった場合に、当該ＰＣ３のユーザＩＤとパスワードの入力を受け付ける（Ｓ２９）。そして制御部１００は、受け付けたユーザＩＤとパスワードを認証サーバ５に送信して、認証を要求する（Ｓ３０）。次に制御部１００は、認証要求に対する応答があったかを判断する（Ｓ３１）。応答があるまで待機し（Ｓ３１のＮｏ）、認証された旨の応答があったと判断した場合には（Ｓ３１のＹｅｓ）、制御部１００は、認証を要求したＰＣ３に対して、結果を示す情報を当該ＰＣ３に送信する（Ｓ３２）。認証サーバ５で認証された情報を受信した場合には、認証された旨の情報を送信する。また、認証サーバ５で認証を拒否された情報を受信した場合には、認証を拒否された旨の情報を送信する。そして制御部１００は、処理を終了する。
【００４４】
一方、第１判断部１０５が、Ｓ２２で入力されたデバイス情報とＳ２５で取得したデバイス情報は一致していないと判断した場合には（Ｓ２７のＮｏ）、制御部１００は、接続要求があったＰＣ３のアクセスポイントへの接続を拒否する（Ｓ３３）。そして制御部１００は、処理を終了する。また、Ｓ２１において、ＰＣ３からアクセスポイントへの接続要求ではないと判断した場合には（Ｓ２１のＮｏ）、制御部１００は、処理を終了する。
【００４５】
次に、認証サーバ５の制御処理について説明する。図８は、認証サーバ５の制御処理の流れを示すフローチャートである。図８に示すように、認証サーバ５の制御部５００は、電子黒板１から顔画像を受信して、デバイス情報の問い合わせがあったかを判断する（Ｓ４１）。デバイス情報の問い合わせがあったと判断した場合には（Ｓ４１のＹｅｓ）、端末特定情報抽出部５０１は、受信した顔画像に基づいて顔認証を実施して顔情報を取得し、顔情報部５４１１に記憶されている当該顔情報に対応付けられたデバイス情報をデバイス情報部５４１２から抽出する（Ｓ４２）。そして端末特定情報送信部５０２は、抽出したデバイス情報を、電子黒板１に送信する（Ｓ４３）。
【００４６】
また、デバイス情報の問い合わせではないと判断した場合には（Ｓ４１のＮｏ）、制御部５００は、電子黒板１からＰＣ３に対する認証要求を受信したかを判断する（Ｓ４４）。電子黒板１からＰＣ３に対する認証要求を受信した場合には（Ｓ４４のＹｅｓ）、制御部５００は、Ｓ４３で受信したＰＣ３に係るユーザＩＤと、ユーザＩＤ部５４１３に記憶されているユーザＩＤと比較する（Ｓ４５）。また、制御部５００は、Ｓ４３で受信したＰＣ３に係るパスワードと、パスワード部５４１４に記憶されているパスワードと比較する（Ｓ４５）。そして制御部５００は、ユーザＩＤとパスワードがいずれも一致したかを判断する（Ｓ４６）。一致したと判断した場合には（Ｓ４６のＹｅｓ）、認証部５０３は、受信したＩＤとパスワードに基づいて、当該ＰＣ３の認証処理を実行する（Ｓ４７）。そして制御部５００は、当該ＰＣ３について認証処理を実行したことを示す情報を電子黒板１に送信する（Ｓ４８）。そして制御部５００は、処理を終了する。
【００４７】
一方、ユーザＩＤとパスワードのいずれかが一致しない、またはユーザＩＤとパスワードのいずれも一致しないと判断した場合には（Ｓ４６のＮｏ）、認証部５０３は、当該ＰＣについての認証処理を拒否する（Ｓ４９）。そして制御部５００は、当該ＰＣ３について認証が拒否されたことを示す情報を電子黒板１に送信する（Ｓ５０）。そして制御部５００は、処理を終了する。
【００４８】
なお、認証要求の受信ではない場合には（Ｓ４４のＮｏ）、制御部５００は、処理を終了する。
【００４９】
図９は、本実施形態の通信システムにおいてＰＣ３と電子黒板１との接続に成功する場合の接続制御の一例を示すシーケンス図である。ＰＣ３においてアクセスポイントへの接続がオンにされたことが検知されると、ＰＣ３の制御部（図示せず）は、プローブ要求を電子黒板１に送信する。ＰＣ３からプローブ要求を受信すると、電子黒板１は、ＰＣ３にプローブ応答を返信する。
【００５０】
電子黒板１からプローブ応答を受信すると、ＰＣ３は、自身のＭＡＣアドレスの情報を含む接続要求を電子黒板１に送信する。電子黒板１は、所定のアルゴリズムを用いてＰＣ３を接続するか否かを決定し、その認証の結果を含む認証応答を返信する。
【００５１】
次に、ＰＣ３は、電子黒板１により接続が認証されたことを確認した後、電子黒板１にアソシエーション（接続）要求を送信する。電子黒板１は、ＰＣ３から受信したアソシエーション要求に含まれるパラメータがすべて自身に対応していることを確認した後、接続許可する旨の情報を含むアソシエーション応答をＰＣ３に送信する。
【００５２】
以上の処理により、通信ネットワークレベルで、ＰＣ３からアクセスポイント接続を介したネットワーク接続の通信経路が確立される。この状態では、ＰＣ３は、認証サーバ５との間で情報の送受信が可能になる。しかしながら、この時点ではまだ、ユーザが認証サーバ５により認証されておらず、アプリケーションのレベルで接続が完了していない。
【００５３】
次に、ＰＣ３は、ユーザＩＤとパスワードを含む認証要求を電子黒板１に送信する。ＰＣ３から認証要求を受信すると、電子黒板１は、その認証要求を認証サーバ５に送信する。
【００５４】
電子黒板１から認証要求を受信すると、認証サーバ５は、認証要求に含まれるユーザＩＤとパスワードとについて情報テーブル５４１を参照してユーザ認証を行う。そして認証サーバ５は、ユーザ認証結果を電子黒板１に認証応答を送信する。そして、電子黒板１は、認証サーバ５から受信した認証応答をＰＣ３に送信する。
【００５５】
（第２の実施形態）
ここからは、第２の実施形態に係る電子黒板１と認証サーバ５の機能構成について説明する。図１０は、第２の実施形態に係る電子黒板１と認証サーバ５の機能構成を示す機能ブロック図である。まず、電子黒板１の機能構成について説明する。図１０に示すように、電子黒板１の制御部１００は、ＲＯＭ２や記憶装置１６に記憶され、ＲＡＭ１３に展開された制御プログラムに従うことで、顔画像入力部１０１、端末特定情報入力部１０２、問い合わせ部１１１、顔情報取得部１１２（顔情報取得手段、第５工程）、第２判断部１１３（第２判断手段、第６工程）、第２接続許可部１１４（第２接続許可手段、第７工程）、ＩＤ受付部１０７、ＩＤ送信部１０８として機能する。なお、顔画像入力部１０１、端末特定情報入力部１０２、ＩＤ受付部１０７、ＩＤ送信部１０８は、第１の実施形態と同様の機能であるため、説明を省略する。
【００５６】
問い合わせ部１１１は、端末特定情報入力部１０２からアクセスポイントへの接続要求があった場合、端末特定情報入力部１０２が入力を受け付けたデバイス情報を認証サーバ５に送信して、当該デバイス情報と対応付けられた会議の参加者の顔情報を認証サーバ５に問い合わせる。
【００５７】
顔情報取得部１１２は、問い合わせ部１１１の問い合わせに対して、認証サーバ５から、送信したデバイス像に対応付けられた会議の参加者の顔情報を受信して取得する。
【００５８】
第２判断部１１３は、顔画像入力部１０１が入力を受け付けた顔画像に含まれる顔情報と顔情報取得部１１２が認証サーバ５から受信した顔情報とを比較して、一致しているか否かを判断する。第２判断部１１３は、顔画像入力部１０１が入力を受け付けた、カメラ１５が撮像した顔画像に基づいて、顔の顔情報を取得する。そして、第２判断部１１３は、抽出した顔の顔情報と顔情報取得部１１２が認証サーバ５から受信した顔情報とを比較する。そして第２判断部１１３は、抽出した顔情報と認証サーバ５から受信した顔情報とが一致しているかを判断する。
【００５９】
第２接続許可部１１４は、第２判断部１１３が、顔画像入力部１０１が入力した顔画像に含まれる顔情報と顔情報取得部１１２が認証サーバ５から受信した顔情報に含まれる顔情報とが一致していると判断した場合に、接続要求があったＰＣ３のアクセスポイントへの接続を許可する。アクセスポイントへの接続が許可されたＰＣ３は、電子黒板１と情報の送受信が可能となり、当該電子黒板１を保有する人は、認証サーバ５の認証を受ければ電子黒板１を使用した会議への参加者となることができる。
【００６０】
なお、電子黒板１の制御部１００は、アクセスポイントとしての顔情報取得部１１２（顔情報取得手段）、第２判断部１１３（第２判断手段）、第２接続許可部１１４（第２接続許可手段）としても機能する。
【００６１】
次に、認証サーバ５の機能構成について説明する。認証サーバ５の制御部５００は、記憶装置５４に記憶され、ＲＡＭ５３に展開された制御プログラムに従うことで、顔情報抽出部５１１、顔情報送信部５１２、認証部５０３（認証手段）として機能する。
【００６２】
顔情報抽出部５１１は、電子黒板１から顔情報の問い合わせがあった場合に、受信したデバイス情報に対応付けられた顔情報を抽出する。顔情報抽出部５１１は、情報テーブル５４１を検索し、受信したデバイス情報に対応付けられた顔情報を顔情報部５４１１から抽出する。
【００６３】
顔情報送信部５１２は、抽出した顔情報を電子黒板１に送信する。認証部５０３は、第１の実施形態と同様な機能を有する。
【００６４】
次に、第２の実施形態に係る電子黒板１の制御について説明する。図１１は、第２の実施形態に係る電子黒板１の制御処理の流れを示すフローチャートである。図１１に示すように、電子黒板１の顔画像入力部１０１は、カメラ１５が撮像した顔画像が入力されたかを判断する（Ｓ５１）。カメラ１５が撮像した顔画像が入力されたと判断した場合には（Ｓ５１のＹｅｓ）、制御部１００は、入力した顔画像をＲＡＭ１３に記憶する（Ｓ５２）。そして制御部１００は、処理を終了する。
【００６５】
また、カメラ１５が撮像した顔画像の入力ではないと判断した場合には（Ｓ５１のＮｏ）、制御部１００は、ＰＣ３からアクセスポイントへの接続要求があったかを判断する（Ｓ６１）。ＰＣ３からアクセスポイントへの接続要求があったと判断した場合には（Ｓ６１のＹｅｓ）、端末特定情報入力部１０２は、アクセスポイントへの接続要求があったＰＣ３から、当該ＰＣ３を特定するデバイス情報を入力してＲＡＭ１３に記憶する（Ｓ６２）。
【００６６】
次に、問い合わせ部１１１は、端末特定情報入力部１０２が入力して記憶したデバイス情報を認証サーバ５に送信して、当該デバイス情報と対応付けられた顔情報を認証サーバ５に問い合わせる（Ｓ６３）。そして制御部１００は、認証サーバ５から問い合わせに対する応答があったかを判断する（Ｓ６４）。応答があるまで待機し（Ｓ６４のＮｏ）、応答があったと判断した場合には（Ｓ６４のＹｅｓ）、顔情報取得部１１２は、認証サーバ５から、送信したデバイス情報に対応付けられた顔情報を受信してＲＡＭ１３に記憶する（顔情報を取得する）（Ｓ６５）。
【００６７】
次に第２判断部１１３は、Ｓ５２で記憶された顔画像に基づいて顔認証を行って取得した顔情報と、Ｓ６５で取得した顔情報を比較する（Ｓ６６）。そして第２判断部１１３は、顔認証を行って取得した顔情報とＳ６５で取得した顔情報が一致しているかを判断する（Ｓ６７）。第２判断部１１３が、顔認証を行って取得した顔情報とＳ６５で取得した顔情報が一致していると判断した場合には（Ｓ６７のＹｅｓ）、第２接続許可部１１４は、接続要求があったＰＣ３のアクセスポイントへの接続を許可する（Ｓ６８）。なお、続くＳ６９〜Ｓ７３の処理は、図７に示すＳ２９〜Ｓ３３の処理と同等のため、説明を省略する。また、Ｓ６１において、ＰＣ３からアクセスポイントへの接続要求ではないと判断した場合には（Ｓ６１のＮｏ）、制御部１００は、処理を終了する。
【００６８】
次に、認証サーバ５の制御処理について説明する。図１２は、認証サーバ５の制御処理の流れを示すフローチャートである。なお、図１２において、図８と同等の処理については、図８と同じ参照符号を付し、説明を省略する。図１２に示すように、認証サーバ５の制御部５００は、電子黒板１からデバイス情報を受信して、顔情報の問い合わせがあったかを判断する（Ｓ８１）。顔情報の問い合わせがあったと判断した場合には（Ｓ８１のＹｅｓ）、顔情報抽出部５１１は、受信したデバイス情報に基づいて、デバイス情報部５４１２に記憶されているデバイス情報に対応付けられて顔情報部５４１１に記憶されている顔情報を抽出する（Ｓ８２）。そして顔情報送信部５１２は、抽出した顔情報を、電子黒板１に送信する（Ｓ８３）。そして制御部５００は処理を終了する。
【００６９】
また、デバイス情報の問い合わせではないと判断した場合には（Ｓ８１のＮｏ）、制御部５００は、図８で説明したＳ４４〜Ｓ５０の処理を実行する。
【００７０】
（第３の実施形態）
ここからは、第３の実施形態について説明する。第３の実施形態は、第２の実施形態と比べて次の点が異なる。すなわち、第２の実施形態では、Ｓ６１で接続要求がある毎に、接続要求があったＰＣ３について接続の可否を問い合わせしていたが、第３の実施形態では、接続要求があったすべてのＰＣ３について、一括して接続の可否を問い合わせを行う。図１３は、第３の実施形態に係る電子黒板１の制御処理の流れを示すフローチャートである。なお、図１３において、図１１と同一の制御を行う処理については図１１と同一の参照符号を付し、その説明を省略する。
【００７１】
図１３に示すように、制御部１００は、Ｓ６１においてＰＣ３から接続要求があると、当該ＰＣ３から受信したデバイス情報をＲＡＭ３に記憶する（Ｓ９１）。制御部１００は、接続要求があったＰＣ３に係るすべてのデバイス情報をＲＡＭ３に記憶する。続いて制御部１００は、顔情報を問い合わせる操作がされたかを判断する（Ｓ９２）。顔情報を問い合わせるために操作するキーは、例えばタッチパネル１４ａ設けられる。制御部１００は、顔情報を問い合わせる操作がされるまで待機し（Ｓ９２のＮｏ）、顔情報を問い合わせる操作がされたと判断した場合には（Ｓ９２のＹｅｓ）、制御部１００はＳ６３以降の処理を実行する。
【００７２】
（第４の実施形態）
ここからは、第４の実施形態について説明する。第４の実施形態は、第１の実施形態に比べて次の点が異なる。すなわち、第４の実施形態では、社外の人で会議に参加する人が保有するＰＣ３について、アクセスポイントに接続可能とした。図１４は、第４の実施形態に係る電子黒板１の制御処理の流れを示すフローチャートである。なお、図１４において、図７と同一の制御を行う処理については図７と同一の参照符号を付し、その説明を省略する。
【００７３】
図１４に示すように、Ｓ２７において、第１判断部１０５が、Ｓ２２で入力されたデバイス情報とＳ２５で取得したデバイス情報は一致していないと判断した場合には（Ｓ２７のＮｏ）、制御部１００は、接続要求をしたＰＣ３が、デバイス情報が未登録のＰＣ３であるかを判断する（Ｓ１０１）。デバイス情報が未登録のＰＣ３であるか否かは、後述する未登録のデバイス情報であることを示す未登録情報を認証サーバ５から受信したかで判断する。
【００７４】
接続要求をしたＰＣ３が未登録のＰＣ３であると判断した場合には（Ｓ１０１のＹｅｓ）、当該ＰＣ３についてアクセスポイントへの接続を許可する。未登録情報を受信したＰＣ３は、社内で登録されていないＰＣ３であって、社外の人が保有するＰＣ３であると判断し、当該ＰＣ３のアクセスポイントへの接続を許可する。
【００７５】
一方、接続要求をしたＰＣ３が未登録のＰＣ３ではない（すなわち、情報テーブル５４１に登録された社内の人のＰＣ３であって、会議に参加していない人のＰＣ３である）と判断した場合には（Ｓ１０１のＮｏ）、制御部１００は、Ｓ３３の処理を実行する。
【００７６】
次に、第４の実施形態に係る認証サーバ５の制御について説明する。図１５は、第４の実施形態に係る認証サーバ５の制御処理の流れを示すフローチャートである。なお、図１５において、図８と同一の制御を行う処理については図８と同一の参照符号を付し、その説明を省略する。図１５に示すように、電子黒板１からデバイス情報の問い合わせがあったと判断した場合には（Ｓ４１のＹｅｓ）、認証サーバ５の制御部５００は、情報テーブル５４１を検索し、受信した顔画像に基づいて抽出された顔情報に対応付けて、デバイス情報部５４１２に対応付けられたデバイス情報が存在するかを判断する（Ｓ１１１）。デバイス情報部５４１２に対応付けられたデバイス情報が存在すると判断した場合には（Ｓ１１１のＹｅｓ）、制御部５００は、Ｓ４２以降の処理を実行する。一方、デバイス情報部５４１２に対応付けられたデバイス情報は存在しないと判断した場合には（Ｓ１１１のＮｏ）、制御部５００は、受信した顔情報に対応付けられたデバイス情報は存在しないことを示す未登録情報を電子黒板１に送信する（Ｓ１１２）。そして制御部５００は、処理を終了する。
【００７７】
（第５の実施形態）
アクセスポイントが、カメラが撮像した参加者の顔画像と、参加者が入力したユーザＩＤとパスワードとを認証サーバに送信する。認証サーバは、受信した参加者の顔画像と顔情報部５４１１に記憶されている顔情報と比較する。そして認証サーバは、顔情報部５４１１に記憶されている顔情報から、受信した顔画像に含まれる顔情報と一致する顔情報を特定する。そして認証サーバは、特定した顔情報に対応付けられたデバイス情報をデバイス情報部５４１２から抽出する。最後に、認証サーバは、アクセスポイントから受信したユーザＩＤとパスワードがいずれも、デバイス情報部５４１２から抽出したデバイスのユーザＩＤとパスワードに一致した場合に、当該情報端末について認証し、ネットワークの利用を可能とする。
【００７８】
このように本発明の実施の形態によれば、カメラが撮像した会議への参加者の顔画像から得られたデバイス情報と、接続要求をしたＰＣ３から取得したデバイス情報が一致した場合に、当該ＰＣ３のアクセスポイントへの接続を許可する。そのため、会議への参加者が保有するＰＣ３のみがネットワークＬ２を利用することができる。
【００７９】
また、実施形態によれば、カメラが撮像した会議への参加者の顔画像から得られた顔情報と、接続要求をしたＰＣ３に基づいて得られた顔情報が一致した場合に、当該ＰＣ３のアクセスポイントへの接続を許可する。そのため、会議への参加者が保有するＰＣ３のみをネットワークＬ２を利用することができる。
【００８０】
また、実施形態によれば、ＰＣ３を接続するアクセスポイントが電子黒板１の機能であるため、電子黒板１を用いた会議への参加者が保有するＰＣ３のみをネットワークＬ２を利用することができる。
【００８１】
また、実施形態によれば、ＰＣ３を接続するアクセスポイントがビデオ会議装置の機能であれば、ビデオ会議装置を用いた会議への参加者が保有するＰＣ３のみをネットワークＬ２を利用することができる。
【００８２】
なお、実施の形態では、アクセスポイントのとして、電子黒板１を例に説明した。しかしながらこれに限らず、例えば、ビデオ再生機能を備え、表示部にビデオ情報等を表示し、一または複数のＰＣ３と接続して会議を行うビデオ会議装置をアクセスポイントとしてもよい。この場合、会議への参加者が保有するＰＣ３のアクセスポイントへの接続の許可は、ビデオ会議装置が行う。
【００８３】
また、実施形態では、情報テーブル５４１を認証サーバ５に設けた。しかしながらこれに限らず、例えば情報テーブル５４１を電子黒板１やビデオ会議装置に設けてもよい。
【００８４】
また、実施形態では、ＰＣ３を情報端末の一例として説明した。しかしながらこれに限らず、例えばモバイルデバイス等を情報端末の一例としてもよい。
【００８５】
実施形態の電子黒板１および認証サーバ５で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００８６】
さらに、実施形態の電子黒板１および認証サーバ５で実行されるプログラムを、インターネット等のネットワークに接続されたコンピュータ上に格納し、ネットワーク経由でダウンロードさせることにより提供するように構成しても良い。また、実施形態の電子黒板１および認証サーバ５で実行されるプログラムをインターネット等のネットワーク経由で提供または配布するように構成しても良い。
【００８７】
実施の形態の電子黒板１および認証サーバ５で実行されるプログラムは、上述した各部（顔画像入力部１０１、端末特定情報入力部１０２、問い合わせ部１０３、端末情報取得部１０４、第１判断部１０５、第１接続許可部１０６、ＩＤ受付部１０７、ＩＤ送信部１０８、端末特定情報抽出部５０１、端末特定情報送信部５０２、認証部５０３、問い合わせ部１１１、顔情報取得部１１２、第２判断部１１３、第２接続許可部１１４、顔情報抽出部５１１、顔情報送信部５１２）を含むモジュール構成となっており、実際のハードウェアとしてはＣＰＵ（プロセッサ）が上記ＲＯＭからプログラムを読み出して実行することにより上記各部が主記憶装置上にロードされ、顔画像入力部１０１、端末特定情報入力部１０２、問い合わせ部１０３、端末情報取得部１０４、第１判断部１０５、第１接続許可部１０６、ＩＤ受付部１０７、ＩＤ送信部１０８、端末特定情報抽出部５０１、端末特定情報送信部５０２、認証部５０３、問い合わせ部１１１、顔情報取得部１１２、第２判断部１１３、第２接続許可部１１４、顔情報抽出部５１１、顔情報送信部５１２が主記憶装置上に生成されるようになっている。
【符号の説明】
【００８８】
１      電子黒板
５      認証サーバ
Ｌ１    通信回線
Ｌ２    ネットワーク
１０    ネットワークシステム
１５    カメラ
１７    ＬＡＮ通信部
１８    無線ＬＡＮ通信部
５５    ＬＡＮ通信部
１００  制御部
１０１  顔画像入力部
１０２  端末特定情報入力部
１０３  問い合わせ部
１０４  端末情報取得部
１０５  第１判断部
１０６  第１接続許可部
１０７  ＩＤ受付部
１０８  ＩＤ送信部
１１１  問い合わせ部
１１２  顔情報取得部
１１３  第２判断部
１１４  第２接続許可部
５００  制御部
５０１  端末特定情報抽出部
５０２  端末特定情報送信部
５０３  認証部
５１１  顔情報抽出部
５１２  顔情報送信部
５４１  情報テーブル
５４１１  顔情報部
【先行技術文献】
【特許文献】
【００８９】
【特許文献１】特開２０１６−０１００７２号公報
【図１】
2020088763.tif 000003
【図２】
2020088763.tif 000004
【図３】
2020088763.tif 000005
【図４】
2020088763.tif 000006
【図５】
2020088763.tif 000007
【図６】
2020088763.tif 000008
【図７】
2020088763.tif 000009
【図８】
2020088763.tif 000010
【図９】
2020088763.tif 000011
【図１０】
2020088763.tif 000012
【図１１】
2020088763.tif 000013
【図１２】
2020088763.tif 000014
【図１３】
2020088763.tif 000015
【図１４】
2020088763.tif 000016
【図１５】
2020088763.tif 000017